(57)【特許請求の範囲】
【請求項１】
コンテンツ・データを記録部に記録する機能を備えたアップロードマネージャを備えたシアター運用制御部と、
前記アップロードマネージャからパケット形式で送られてくるコンテンツ・データを上映可能な状態のフォーマットに変換すると共に該変換されたデータを映像信号とオーディオ信号に分離する機能を有するシネマサーバと、前記アップロードマネージャからパケット形式で送られてくる、映像や音声、照明、その他設備を一括して制御・管理するためのシアターマネージメント情報に基づいてシステム制御部のシステムコマンダに機器制御コマンドを送出する機能を備えたサーバコマンダとからなる上映サーバユニットと、
前記サーバコマンダから非パケット形式のシリアルデータ伝送で送られてくる機器制御コマンドに従い、各部の機器を制御するための機器動作コマンドを非パケット形式のパラレルデータ伝送で送出し、機器個別の制御を行う機能を有するシステムコマンダを備えたシステム制御部と、
前記シネマサーバから送られてくるオーディオ信号をデコードすると共に、前記システムコマンダからの機器動作コマンドに従い、オーディオ信号の音量を調整する音量調整器を備えたオーディオ信号処理部と、
前記シネマサーバから送られてくる映像信号をコンポーネント信号に変換し、プロジェクタに送出すると共に、前記システムコマンダからの機器動作コマンドに従い、画郭モードに応じてスクリーンの映像表示範囲を調整するように前記プロジェクタを制御する画郭切換器を備えた映像信号処理部と、
前記システムコマンダからの非パケット形式のパラレルデータ伝送で送られてくる機器動作コマンドにより、前記プロジェクタで変換され投射される光信号を反射し映像として映し出すスクリーンを、コンテンツに応じた大きさに調整する機能を備えたスクリーンシステム部と、を備えたことを特徴とするコンテンツ運用管理システム。
【発明の詳細な説明】
【０００１】
【発明の属する技術分野】
本発明は、コンテンツ運用管理システムに関する。詳しくは、デジタルデータで作成された映画（コンテンツ）を上映するためデジタルシネマシステムで用いられるコンテンツ運用管理システムに関する。
【０００２】
【従来の技術】
現在、各種コンテンツの配信や配給がアナログ方式からデジタル方式へと切り替わりつつある。映画業界も例外でない。現在、多くの映画館においては、アナログ記録した映画の配給からデジタル記録した映画の配給へと上映システムの切り替えが模索されている。
【０００３】
また、近年、１つの場所に複数のスクリーン（劇場）を持つマルチプレックスシアター、通称シネコン（シネマコンプレックス）と呼ばれる複合型映画館も登場し、人気の映画などを複数館で上映するなどの効率のよい映画上映を行っている。
【０００４】
そこで、複数の上映システム（スクリーン）にデジタルデータ化された映画を配信するようなシステムが必要となり、一般的には、各上映システム間をＬＡＮ（Ｌｏｃａｌ  Ａｒｅａ  Ｎｅｔｗｏｒｋ）で構成し、各上映システムを構成する映像／オーディオ設備、照明などの館内設備などもＬＡＮによって接続することで、シアターの運営がすべて同じ環境で制御できるデジタルシネマシステムが考えられている。
【０００５】
【発明が解決しようとする課題】
しかしながら、コンテンツ・データのようにデータ容量が大きく、確実性が要求され、時間がかかっても情報の内容の正確性が要求される情報があり、一方で、制御データのように時間管理が優先され、通信エラーに基づくリトライの許さない情報もあり、データ量、伝送速度、伝達確度などの伝送条件が異なるデータの伝送を制御・管理しなければならないという問題を有している。
【０００６】
従って、本発明は、データ量、データ伝送速度や伝達確度（時間的冗長度）などのデータ伝送条件が異なる複数のデータによって運営されるデジタルシネマ上映システムなどに適したコンテンツ運用管理システムを提案する。
【０００７】
【課題を解決するための手段】
前記課題を解決するため、本発明に係るコンテンツ運用管理システムは次のような構成にすることである。
【０００８】
（１）  コンテンツ・データを記録部に記録する機能を備えたアップロードマネージャを備えたシアター運用制御部と、
前記アップロードマネージャからパケット形式で送られてくるコンテンツ・データを上映可能な状態のフォーマットに変換すると共に該変換されたデータを映像信号とオーディオ信号に分離する機能を有するシネマサーバと、前記アップロードマネージャからパケット形式で送られてくる、映像や音声、照明、その他設備を一括して制御・管理するためのシアターマネージメント情報に基づいてシステム制御部のシステムコマンダに機器制御コマンドを送出する機能を備えたサーバコマンダとからなる上映サーバユニットと、
前記サーバコマンダから非パケット形式のシリアルデータ伝送で送られてくる機器制御コマンドに従い、各部の機器を制御するための機器動作コマンドを非パケット形式のパラレルデータ伝送で送出し、機器個別の制御を行う機能を有するシステムコマンダを備えたシステム制御部と、
前記シネマサーバから送られてくるオーディオ信号をデコードすると共に、前記システムコマンダからの機器動作コマンドに従い、オーディオ信号の音量を調整する音量調整器を備えたオーディオ信号処理部と、
前記シネマサーバから送られてくる映像信号をコンポーネント信号に変換し、プロジェクタに送出すると共に、前記システムコマンダからの機器動作コマンドに従い、画郭モードに応じてスクリーンの映像表示範囲を調整するように前記プロジェクタを制御する画郭切換器を備えた映像信号処理部と、
前記システムコマンダからの非パケット形式のパラレルデータ伝送で送られてくる機器動作コマンドにより、前記プロジェクタで変換され投射される光信号を反射し映像として映し出すスクリーンを、コンテンツに応じた大きさに調整する機能を備えたスクリーンシステム部と、を備えたことを特徴とするコンテンツ運用管理システム。
【０００９】
このようなコンテンツ運用管理システムにより、コンテンツ・データ及びコンテンツ制御データ（シアターマネージメント情報）をパケット形式のデータとして伝送し、機器制御コマンド及び機器動作コマンドを非パケット形式のシリアルデータ伝送或いはパラレルデータ伝送で伝送することにより、それぞれのデータを要求される条件に適したデータ形式で、混交することなくデータ伝送することができる。
【００１０】
【発明の実施の形態】
次に、本発明に係るコンテンツ運用管理システムの実施の形態を図面を参照して説明する。但し、図面は専ら解説のためのものであって、本発明の技術的範囲を限定するものではない。
【００１１】
まず、本発明のコンテンツ運用管理システムの構成方法及びコンテンツ運用管理システムを用いたデジタルシネマシステムの全体概要を説明する。
【００１２】
図１に示すデジタルシネマシステムは、フィルム配給部１０、テレシネ変換部２０、メディア制作部３０、デジタルシネマ上映部４０、から構成される。
【００１３】
フィルム配給部１０は、アナログ信号やデジタル信号でコンテンツが記録された３５ミリ、１６ミリ、スーパー１６ミリのネガ／ポジフィルムや９．５ミリ、Ｓ−８ミリ、Ｗ−８ミリなどのオリジナルフィルム１００から各シアターに配給するためのリリースプリントフィルム１１０を作成し、テレシネ変換部２０に送る。
【００１４】
テレシネ変換部２０は、テレシネ機２１０、オーディオエンコーダ２２０、デジタルＶＴＲ２３０などを備えており、フィルム配給部１０から配給されたリリースプリントフィルム１１０に記録された映像信号／オーディオ信号をデジタルシネマ（ｅシネマ）やテレビジョン放送、ビデオ／ＤＶＤ化するためのデジタル化を行うと共にフォーマット変換を行ってソースデータを生成し、このソースデータをマスタ（マザー）メディア２４０などのメディアに記録する。
【００１５】
メディア制作部３０は、ビデオサーバ３１０、メディアデッキ３２０などを備え、マスタ（マザー）メディア２４０に記録されたコンテンツ（映像信号／オーディオ信号）をデジタルシネマとして上映可能な状態に変換してストリーマテープなどのメディア３５０に記録し、複製を行って、デジタルシネマ上映部４０を備えた各シネマシアターなどに配給（配信／送信）する。
【００１６】
デジタルシネマ上映部４０は、アップロードマネージャ４１０、シネマサーバ４２０、プロジェクタ４３０、オーディオデコーダ４５０、ＤＡコンバータ４６０、シアターオーディオシステム４７０などを備え、デジタルシネマを上映する各シアター（スクリーン・劇場）である。
【００１７】
続いて、上述した図１のデジタルシネマシステムのデジタルシネマ上映部４０に相当し、本発明に係るコンテンツ運用管理システムについて図面を参照しながら具体的に説明する。
【００１８】
図２に示すコンテンツ運用管理システムは、シアター運用制御部４０１、上映サーバユニット４０２、映像信号処理部４０３、スクリーンシステム部４０４、オーディオ信号処理部４０５、オーディオ関連機器部４０６、シアターオーディオ部４０７、システム制御部４０８、施設設備部４０９などから構成される。
【００１９】
シアター運用制御部４０１は、メディア（ストリーマテープ）３５０（図１参照）をセットして、コンテンツ・データ（映像信号／オーディオ信号）を自動的に読み出し、パケットデータとして出力するメディアデッキ４１１と、メディアデッキ４１１から出力されたパケットデータを記録したり、シアター運営プログラム４１３を記録するハードディスク４１２と、機器操作の為のマウス４１４及びキーボード４１５、機器状態を表示するためのディスプレイ４１６などを有するアップロードマネージャ４１０を備えている。
【００２０】
アップロードマネージャ４１０は、メディア３５０（図１参照）に記録されたデータを読み出しできるメディアデッキやハードディスクなどの記録媒体を有し、メディア３５０（図１参照）のメモリ３５１（図１参照）に記録されているメディア用ＩＤなどをチェックしてメディア３５０に記録されているコンテンツ・データ（映像信号／オーディオ信号）を自動的に読出してハードディスクに記録して再構成する機能、再構成したデータに含まれるシネマサーバ用ＩＤコード、コンテンツ自体を管理するコンテンツＩＤコードなど、複数のＩＤコードを照合して、パケットデータとしてシネマサーバ４２０へ送出する機能、上映編成情報などのマネージメント情報を作成し、このマネージメント情報や上映コンテンツ情報などを各シネマサーバ４２０に送出すると共に、これらの情報に従い各シネマサーバ４２０を運用・管理する機能、各シネマサーバ４２０に記録されているコンテンツ・データの消去指示を送り、記録されたデータ消去の確認を行って消去証明情報を出力する機能など、を備えた機器である。
【００２１】
そして、ＬＡＮ（Ｌｏｃａｌ  Ａｒｅａ  Ｎｅｔｗｏｒｋ）構成されたネットワークを介して上映サーバユニット４０２と接続され、上映サーバユニット４０２に対して、上映番組編成情報（番組単位、日編成、期間編成などの編成情報）などのシアターマネージメント情報やメディア（ストリーマテープ）３５０（図１参照）に記録されているコンテンツ・データ（映像信号／オーディオ信号）をパケットデータとして送出する。
【００２２】
上映サーバユニット４０２は、シネマサーバ４２０と、サーバコマンダ４２１と、モニタ４２２などから構成される。
【００２３】
シネマサーバ４２０は、ハードディスク４２０ａなどの記録媒体を備え、ハブ（ＨＵＢ）４を経由し、ＬＡＮによってシアター運用制御部４０１のアップロードマネージャ４１０と接続され、更に、サーバコマンダ４２１とシリアル通信ケーブルで接続されており、以下のような機能を備えている。
【００２４】
アップロードマネージャ４１０から送られてくるパケットデータを再構築して上映可能な状態のフォーマットであるシネマシステム専用パッケージフォーマットに変換する機能、シネマシステム専用パッケージフォーマットに再構築されたデータ（映像信号／オーディオ信号）をサーバ専用パッケージフォーマットに変換してハードディスク４２０ａに記録する機能、ハードディスク４２０ａに記録したデータ（映像信号／オーディオ信号）を映像信号とオーディオ信号に分離して所定のデジタル信号にデコードする機能、デコードした映像信号をＳＤＩ（ＰＡＬ）信号などに変換して映像信号処理部４０３へ送出し、デーコードしたオーディオ信号をＡＥＳ／ＥＢＵ信号などのデジタルオーディオ信号に変換してオーディオ信号処理制御部４０５へ送出する機能、などを備えた機器である。
【００２５】
サーバコマンダ４２１は、シネマサーバ４２０及びＩＦユニット４８０ａとＲＳ２３２ＣやＲＳ４２２などのシリアル通信ケーブルで接続され、また、ハブ（ＨＵＢ）４を経由してＬＡＮによってシアター運用制御部４０１のアップロードマネージャ４１０と接続されており、アップロードマネージャ４１０から送られてくるシアターマネージメント情報などを記録すると共に、シネマサーバ４２０を制御する機能、インタフェースユニット４８０ａ経由してシステムコマンダ４８０に各部４０３〜４０９の機器を個別に制御指示することができる機器制御コマンドを送出する機能、などを備えた機器である。
【００２６】
例えば、シアターマネージメント情報に基づいてシネマサーバ４２０を制御して上映編成時間を調整したり、映像信号処理部４０３／スクリーンシステム部４０４／オーディオ信号処理部４０５／オーディオ関連機器部４０６／シアターオーディオ部４０７／システム制御部４０８／施設設備部４０９など各部の個別の機器を制御するための指示を行う機器制御コマンドをインタフェースユニット（通信インターフェース）４８０ａを介してシステムコマンダ４８０に送出し、映像や音声、照明、その他設備を一括して制御・管理することができる。
【００２７】
モニタ４２２は、シネマサーバ４２０とオーディオ信号処理部４０５の音量調整器４６１とに接続され、シネマサーバ４２０が映像信号処理部４０３へ送り出した映像信号と同じ映像信号（ＳＤＩ信号）と、オーディオ信号処理部４０５でアナログ変換処理されたオーディオ信号とを取り込んで、上映中のコンテンツ（シネマ）と同じ映像／オーディオ信号をモニタリングして上映状態確認を行うための機器である。
【００２８】
ハブ（ＨＵＢ）４は、アップロードマネージャ４１０とシネマサーバ４２０とサーバコマンダ４２１と接続され、各機器からの通信ケーブル（ＬＡＮケーブル）を集線して接続し、それぞれの機器から送られてくるパケットデータを指定されている所定の機器のみに対して伝送するスイッチング機能を備えた機器である。
【００２９】
映像信号処理部４０３は、プロジェクタ４３０、映像データ変換器４３２、画郭切換器４３３などから構成される。
【００３０】
プロジェクタ４３０は、映像データ変換器４３２と接続され、更に、画郭切換器４３３とシリアル通信ケーブルで接続されており、映像データ変換器４３２から送られてくるコンポーネント信号（輝度信号Ｙと色差信号Ｒ−Ｙ、Ｂ−Ｙ）を光（信号）に変換し、更に、画郭切換器４３３からの画郭モード情報に応じたスクリーン４４０の大きさに適合させた光（信号）に変換し、アナモフィックレンズ４３１を介して変換した光（信号）をスクリーン４４０に投射する機器である。
【００３１】
映像データ変換器４３２は、シネマサーバ４２０とプロジェクタ４３０と接続され、シネマサーバ４２０から送られてくる映像信号（ＳＤＩ信号やＰＡＬ信号）をコンポーネント信号（輝度信号Ｙと色差信号Ｒ−Ｙ、Ｂ−Ｙ）などに変換し、プロジェクタ４３０に送出する機器（ＳＤＩコンポーネント変換器）である。
【００３２】
画郭切換器４３３は、システムコマンダ４８０とパラレル通信ケーブルで接続され、また、プロジェクタ４３０とシリアル通信ケーブルで接続されており、システムコマンダ４８０からの機器動作コマンドにより、画郭モード（映像信号の縦と横の長さの比率に関する情報）に応じてスクリーン４４０の映像表示範囲を調整するようにプロジェクタ４３０に指示を送る機器である。
【００３３】
スクリーンシステム部４０４は、システムコマンダ４８０とパラレル通信ケーブルで接続され、プロジェクタ４３０で変換され投射される光信号を反射し映像として映し出すスクリーン４４０やバリマスク（図示せず）などを備えており、システムコマンダ４８０からの機器動作コマンドによりスクリーン４４０をコンテンツに応じた大きさに調整する。
【００３４】
オーディオ信号処理部４０５は、オーディオデコーダ４５０、ＤＡコンバータ４６０、音量調整器４６１から構成される。
【００３５】
オーディオデコーダ４５０は、シネマサーバ４２０、ＤＡコンバータ４６０と接続され、シネマサーバ４２０から送られてくるオーディオ信号（ＡＥＳ／ＥＢＵ信号などのデジタルオーディオ信号）をデコードして、ＤＡコンバータ４６０に送出する機器である。
【００３６】
ＤＡコンバータ４６０は、オーディオデコーダ４５０、音量調整器４６１と接続され、オーディオデコーダ４５０でデコードされたオーディオ信号をアナログ信号に変換して音量調整器４６１に送出する機器である。
【００３７】
音量調整器４６１は、ＤＡコンバータ４６０、シアターオーディオシステム４７０、上映サーバユニット４０２のモニタ４２２、オーディオ関連機器部４０６と接続され、更に、システムコマンダ４８０とパラレル通信ケーブルで接続されており、ＤＡコンバータ４６０から送られてくるアナログ信号に変換されたオーディオ信号の音量を調整し、シアターオーディオシステム４７０に出力する機器である。また、システムコマンダ４８０からの機器動作コマンドに従い、オーディオ関連機器部４０６から送られてくるオーディオ信号の音量を調整し、シアターオーディオシステム４７０及びモニタ４２２に出力する。
【００３８】
オーディオ関連機器部４０６は、オーディオ信号処理部４０５の音量調整機器４６１と接続され、更に、システムコマンダ４８０とパラレル通信ケーブルで接続されており、ＣＤプレーヤ４６２、カセットデッキ４６３、ミキサ４６４などから構成され、シネマサーバ４２０内に記録されている以外のオーディオ信号を作成して音量調整器４６１に送出する。
【００３９】
シアターオーディオ部４０７は、イコライザ４７１、アンプ４７２、スピーカ４７３などから構成されるシアターオーディオシステム４７０を備え、ＤＡコンバータ４６０で変換されたアナログ信号を再生するシステムである。
【００４０】
例えば、図示してあるようなドルビーデジタル５．１ｃｈのシステムの場合は、メインスピーカのレフトスピーカ（Ｌｓｐ）、センタスピーカ（Ｃｓｐ）、ライトスピーカ（Ｒｓｐ）と、再生環境の後方音場や効果音、残響効果をサポートするサラウンドレフトスピーカ（ＳＬｓｐ）、サラウンドライトスピーカ（ＳＲｓｐ）の５つのスピーカと、１つの重低音のみを再生できるサブウーハースピーカ（ＳＷｓｐ）を備えたデジタル５．１ｃｈマルチチャンネルに対応した立体音響システムである。
【００４１】
システム制御部４０８は、上映サーバユニット４０２のサーバコマンダ４２１とインタフェースユニット４８０ａを介してシリアル通信ケーブル（ＲＳ２３２Ｃ、ＲＳ４２２など）で接続されると共に、映像信号処理部４０３、スクリーンシステム部４０４、オーディオ信号処理部４０５、オーディオ関連機器部４０６、シアターオーディオ部４０７、システム制御部４０８、施設設備部４０９などの各機器とパラレル通信ケーブルで接続されており、サーバコマンダ４２１からシリアルデータ伝送で送られてくる機器動作コマンドに従い、各部４０３〜４０９の機器を制御するための機器動作コマンドをパラレルデータ伝送で送出し、機器個別の制御を行う。
【００４２】
例えば、画郭切換器４３３、スクリーン４４０、音量調整器４６１、ＣＤプレイヤ４６２、カセットデッキ４６３、非常システム４９１、調光器４９２、３５ｍｍ映写機４９３、などと接続し、サーバコマンダ４２１から機器動作コマンドを投入すると、それぞれの機器に応じた個別の機器動作コマンドを送出し、制御を行う。
【００４３】
施設設備部４０９は、非常放送システム４９１、調光器４９２、３５ｍｍ映写機などの従来の上映設備４９３などのシアター内の諸設備であり、それぞれの機器がパラレル通信ケーブルでシステムコマンダ４８０と接続されている。
【００４４】
非常放送システム４９１は、シアター内の非常時に館内放送等を行うものであり、手動又は自動でシステムコマンダ４８０へ最優先の割り込みをかけ、シアターオーディオ部４０７や調光器４９２などと連動して館内放送や照明制御などを行う。
【００４５】
調光器４９２は、システムコマンダ４８０から送られてくる機器動作コマンドに従って上映している映画に応じた照明の調整などを行う。
【００４６】
３５ｍｍ映写機などの従来の上映設備４９３は、システムコマンダ４８０から送られてくる機器動作コマンドに応じて、デジタルシネマから従来のフィルム上映に切り替えることが可能である。
【００４７】
ここで、図１に示すデジタルシネマ上映部４０に相当する図２のコンテンツ運用管理システムにおけるデータの流れについて図３を参照しながら更に具体的に説明する。
【００４８】
まず、図１に示すデジタルシネマ上映部４０内において伝送されるデータ（信号）の種類は、（１）シアターマネージメント情報（映画運営プログラム関連情報）、（２）上映コンテンツ情報、（３）コンテンツ・データ（映像／オーディオ信号）、（４）設備制御情報などがある。
【００４９】
（１）シアターマネージメント情報（映画運営プログラム関連情報）は、上映するシネマのコンテンツに基づいて、ＢＧＭ、インフォメーション、ＣＭ、チャイム、開始／終了アナウンス、予告、案内などの各種コンテンツを時系列に編集した「番組」（１興行単位）の情報、複数のシネマを上映する場合は「Ａ番組」の情報、「Ｂ番組」の情報・・・という複数の「番組」の情報と、「番組」に基づいた編成された１日のタイムスケジュール、１０：００〜「Ａ番組」、１２：３０〜ＢＧＭ、１４：３０〜「Ｂ番組」、１４：３０〜ＢＧＭ・・・というような「日編成」情報、複数ある場合は「Ａ編成」情報、「Ｂ編成」情報・・・という複数の「日編成」情報と、「日編成」に基づいた所定期間の編成情報、初日〜３日目までは「Ａ編成」、４日目〜７日目までは「Ｂ編成」、・・・というような「期間編成」情報など、上映の運営に関する情報が含まれており、アップロードマネージャ４１０→サーバコマンダ４２１で伝送され、１度受信すると所定の期間変更することはない。
【００５０】
（２）上映コンテンツ情報は、本編、予告編、ＣＭ、案内、インフォメーション、開始／終了アナウンス、チャイム、ＢＧＭなどのコンテンツの種別を示す作品（コンテンツ）の種類、各コンテンツの作品名、配給会社（版権者）名、ＰＡＬ／ＮＴＳＣ／ＨＤなどの映像信号の種別、シネスコ／８５ビスタ／ＨＤ／６６ビスタ／スタンダード／ＴＶなどの映像信号の画郭モード、オーディオ信号が記録されたチャンネルを示す音声モード、コンテンツの上映時間など、上映するコンテンツ・データに関する情報が含まれており、アップロードマネージャ４１０→シネマサーバ４２０間で伝送され、１度受信すると所定の期間変更することは少ない。
【００５１】
（３）コンテンツ・データ（映像／オーディオ信号）は、アップロードマネージャ４１０→シネマサーバ４２０で伝送される上映コンテンツ（シネマ）自体のデータ（映像信号／オーディオ信号）であり、アップロードマネージャ４１０→シネマサーバ４２０間で伝送され、データ量が多く、１度受信すると所定の期間変更することは少ない。また、データを簡単に判読したり、再生することができないようにする必要がある。
【００５２】
（４）設備制御情報は、調光、スクリーンやバリマスクの開閉、画郭切換などのシアター上映作業に関する所謂機器制御コマンドであり、サーバコマンダ４２１→システムコマンダ４８０→各部の個々の機器という経路で伝送され、映画を上映する度に適宜伝送され、映画の上映内容などに応じて照明や音声などを調節するなどリアルタイムで個々の機器を動作させる必要がある。
【００５３】
上述した（１）〜（４）の情報において、（１）シアターマネージメント情報と（２）上映コンテンツ情報は、確実に情報伝達できること、（３）コンテンツ・データは、確実に情報伝達し、且つ、情報の流出を阻止すること、（４）設備制御情報に関しては、伝達速度が速く、確実な情報伝達ができること、即ち、通信ミスによるリトライがなくリアルタイムに伝達できること、が要求される。
【００５４】
このように（１）〜（４）の各情報に要求される条件から、（１）〜（３）の情報を伝達する頻度は少なくリアルタイム性が要求されない点、また、（３）コンテンツ・データに関してはデータ量が多く、秘匿性が高いという点から、データを分割して伝送し、復元や判読が容易でなく、且つ、データを確実に情報伝達を行うことができるようなネットワークが必要となる。
【００５５】
また、（１）シアターマネージメント情報はアップロードマネージャ４１０→サーバコマンダ４２１間で伝送され、（２）上映コンテンツ情報、（３）コンテンツ・データは、アップロードマネージャ４１０→シネマサーバ４２０間で伝送されるので、伝送経路が異なるため、（１）シアターマネージメント情報と、（２）上映コンテンツ情報／（３）コンテンツ・データとを確実に分離できるようにする。
【００５６】
このような伝送を可能とするネットワークとして、例えば、通信プロトコルとしてＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）を用い、アップロードマネージャ４１０−サーバコマンダ４２１間、及びアップロードマネージャ４１０−シネマサーバ４２０間をＬＡＮ接続により接続する。
【００５７】
また、アップロードマネージャ４１０からの通信ケーブルをスイッチング機能を有するハブ（ＨＵＢ）４に接続し、スイッチングハブ（ＨＵＢ）４からサーバコマンダ４２１、シネマサーバ４２０に別々の通信ケーブルを接続する、というような、所謂ＬＡＮ（Ｌｏｃａｌ  Ａｒｅａ  Ｎｅｔｗｏｒｋ）ケーブルで接続することで（１）シアターマネージメント情報と、（２）上映コンテンツ情報／（３）コンテンツ・データとが同一ネットワーク上で分離できる。
【００５８】
一方、（４）設備制御情報に関しては、通信ミスによるリトライがなくリアルタイムに伝達できることが要求されるので、サーバコマンダ４２１→システムコマンダ４８０間をシリアルデータ通信可能なＲＳ２３２ＣやＲＳ４２２などの通信ケーブルで接続し、システムコマンダ４８０−各部の個々の機器間には、パラレルデータ通信可能な通信ケーブルで接続することにより、それぞれが１対１の専用の通信回線で接続されるので、制御対象の機器を確実、且つ、高速に動作させることができる。
【００５９】
従って、図２に示すような、シアタ運用制御部４０１−上映サーバユニット４０２間をＬＡＮで接続し、サーバコマンダ４２１−シネマサーバ４２０間及びサーバコマンダ４２１−システムコマンダ４８０間をシリアル通信ケーブルで接続し、システムコマンダ４８０と機器動作コマンドにより制御される各機器の間はパラレル通信ケーブルで接続して、各機器間で伝送されるデータに適したネットワークを独立させて接続している。
【００６０】
続いて、図２のコンテンツ運用管理システムの動作について説明する。
【００６１】
シアター運用制御部４０１は、配給されるメディア（ストリーマテープ）３５０(図１参照)をアップロードマネージャ１１０のメディアデッキ４１１にセットすると、記録されてるデータを自動的に読み出し、パケットデータとして出力し、ハードディスク４１２に記録する。
【００６２】
そして、マウス４１４及びキーボード４１５を操作し、ディスプレイ４１６などでハードディスク４１２に記録したデータを確認しながら所定のデータ（シアターマネージメント情報、上映コンテンツ情報、映像／オーディオ信号、映画上映時の動作機能情報など）をＬＡＮを介して接続されている上映サーバユニット４０２のシネマサーバ４２０又はサーバコマンダ４２１に送出する。
【００６３】
シネマサーバ４２０は、まず、アップロードマネージャ４１０から送られてくるパケットデータを再構築し、メディア用ＩＤコード、メディア（ストリーマテープ）３５０を物理的に個別管理するためのＩＤコード、各シネマサーバ４２０を個別に管理するＩＤコードなど複数のＩＤコードを照合し、正常に照合が行われた場合に、再構築したデータ（映像信号／オーディオ信号）をサーバ専用パッケージフォーマットでハードディスクに記録する（書き込む）する。
【００６４】
一方、サーバコマンダ４２１は、アップロードマネージャ４１０から送られてくるシアターマネージメント情報を記録する。
【００６５】
ハブ（ＨＵＢ）４は、アップロードマネージャ４１０→サーバコマンダ４２１間で伝送されるパケットデータと、アップロードマネージャ４１０→シネマサーバ４２０間で伝送されるパケットデータとのスイッチングを行い、両者のパケットデータの分離してそれぞれの機器に接続されたケーブルへ確実に送り出す。
【００６６】
ここで、映画の上映を行う場合、サーバコマンダ４２１からシネマサーバ４２０に対する機器制御コマンドを投入する。
【００６７】
サーバコマンダ４２１は、機器制御コマンドが投入されるとシアターマネージメント情報に従い、シネマサーバ４２０のハードディスク４２０ａに記録したデータ（映像信号／オーディオ信号）をデコードして、映像信号とオーディオ信号を取出してそれぞれ分離し、映像信号をＳＤＩ（ＰＡＬ）信号に変換して映像信号処理部４０３へ送出し、オーディオ信号をＡＥＳ／ＥＢＵ信号（デジタルオーディオ信号）に変換してオーディオ信号処理制御部４０５へ送出する。
【００６８】
一方、システムコマンダ４８０に対して、各部４０３〜４０９の機器を個別に制御する機器動作コマンドを送出し、映像や音声、照明、その他設備の制御指示を行う。
【００６９】
システムコマンダ４８０は、サーバコマンダ４２１から送られてくる機器制御コマンドに従い、画郭切換器４３３、スクリーン４４０、音量調整器４６１、ＣＤプレイヤ４６２、カセットデッキ４６３などの機器をそれぞれ制御するための機器動作コマンドを個々の機器に対して送出する。
【００７０】
映像信号処理部４０３の映像データ変換器４３２は、シネマサーバ４２０から送られてくる映像信号（ＳＤＩ信号やＰＡＬ信号）をコンポーネント信号（輝度信号Ｙと色差信号Ｒ−Ｙ、Ｂ−Ｙ）などに変換してプロジェクタ４３０に送出し、プロジェクタ４３０は、映像データ変換器４３２から送られてくるコンポーネント信号（輝度信号Ｙと色差信号Ｒ−Ｙ、Ｂ−Ｙ）をアナモフィックレンズ４３１を介してスクリーンの大きさ適合した光（信号）としてスクリーンシステム部４０４のスクリーン４４０に投射する。
【００７１】
スクリーンシステム部４０４のスクリーン４４０は、プロジェクタ４３０で変換され投射される光信号を反射し映像として映し出す。
【００７２】
また、画郭切換器４３３がサーバコマンダ４２１で投入された機器制御コマンドに応じてシステムコマンダ４８０が出力する機器動作コマンドにより、画郭モード（映像信号の縦と横の長さの比率に関する情報）に応じてスクリーン４４０の表示範囲の調整を行う。また、これの調整に応じてバリマスクを動作させる。
【００７３】
一方、オーディオ信号処理部４０５では、映像信号処理部４０３と同期を取りながら、オーディオデコーダ４５０によってシネマサーバ４２０から送られてくるオーディオ信号（ＡＥＳ／ＥＢＵ信号などのデジタルオーディオ信号）をデコードして、ＤＡコンバータ４６０に送り、ＤＡコンバータ４６０は、オーディオデコーダ４５０でデコードされたオーディオ信号をアナログ信号に変換して音量調整器４６１に送出する。
【００７４】
音量調整器４６１は、ＤＡコンバータ４６０から送られてくるアナログ信号に変換されたオーディオ信号の音量を調整し、シアターオーディオ部４０７に出力する。
【００７５】
そして、シアターオーディオ部４０７のシアターオーディオシステム４７０は、イコライザ４７１、アンプ４７２で映像信号に同期し、適合した音響効果、音量に調節し、例えば、ドルビーデジタル５．１ｃｈのシステムのように、メインスピーカのレフトスピーカ（Ｌｓｐ）、センタスピーカ（Ｃｓｐ）、ライトスピーカ（Ｒｓｐ）と、再生環境の後方音場や効果音、残響効果をサポートするサラウンドレフトスピーカ（ＳＬｓｐ）、サラウンドライトスピーカ（ＳＲｓｐ）の５つのスピーカと、１つの重低音のみを再生できるサブウーハースピーカ（ＳＷｓｐ）などから構成されるスピーカ４７３でデジタル５．１ｃｈマルチチャンネルに対応した立体音響効果を再現する。
【００７６】
また、上映サーバユニット４０２のモニタ４２２は、シネマサーバ４２０が映像信号処理部４０３へ送り出した映像信号と、オーディオ信号処理制御部４０５でアナログ変換処理されたオーディオ信号、即ち、上映されている映画と同じ信号を取り込んで再生し、上映状態の確認を行う。
【００７７】
また、画郭切換器４３３、スクリーン４４０、音量調整器４６１、ＣＤプレイヤ４６２、カセットデッキ４６３などの機器は、システムコマンダ４８０からの機器動作コマンドに応じて、上映されている映画に同期して、映像や音声、照明・その他設備を適宜調整する。
【００７８】
また、天災や停電などの非常時には、システムコマンダ４８０に対して、自動又は手動でサーバコマンダ４２１に機器制御コマンドを投入する、若しくは、非常放送システム４９１が自動的に機器制御コマンドを送る。
【００７９】
システムコマンダ４８０は、各部（各機器）に対して最優先の割り込みをかけ、シアターオーディオ部４０７や調光器４９２などと連動して館内放送や照明制御などを行ったり、サーバコマンダ４２１が上映サーバユニット４０２で送出している映画を一時停止／強制終了などの処理を行う。
【００８０】
また、サーバコマンダ４２１から機器制御コマンドを投入すると、３５ｍｍ映写機などの従来の上映設備４９３によってデジタルシネマから従来のフィルム上映に切り替えることも可能である。
【００８１】
このようなコンテンツ運用管理システムにより、図４に示すような複数のスクリーンを有するマルチプレクスシアターを制御することも可能となる。
【００８２】
図４は、マルチプレクスシアターの接続の概略構成であり、Ｎｏ．１シアター４０ａ〜Ｎｏ．１６シアター４０ｐの１６シアターを有しており、シアター運営制御部４０１と、上映サーバユニット４０２ａ〜４０２ｄと、システムコマンダ４８０ａ〜４８０ｄと、デジタルシネマ上映部４０ａ〜４０ｐと、から構成される。尚、各部及び各機器の機能や動作、及び接続構成に関しては、上述の図１、図２で説明したものと同様であるのでその詳細な説明は省略する。
【００８３】
シアター運営制御部４０１は、アップロードマネージャ４１０を備え、ハブ（ＨＵＢ）４を介して上映サーバユニット４０２ａ〜４０２ｄのサーバコマンダ４２１ａ〜４２１ｄ及びシネマサーバ４２０ａ〜４２０ｄとＬＡＮで接続されている。
【００８４】
アップロードマネージャ４１０は、ハブ（ＨＵＢ）４を介して４つの上映サーバユニット４０２ａ〜４０２ｄとＬＡＮ接続され、パケットデータによりデータ伝送を行う。
【００８５】
サーバコマンダ４２１ａ〜４２１ｄに対しては、各シネマサーバ４２０ａ〜４２０ｄを制御・管理するシアターマネージメント情報をパケットデータで送出し、シネマサーバ４２０ａ〜４２０ｄに対しては、それぞれのシアター４０ａ〜４０ｐで上映するコンテンツ・データをパケットデータで送出する。
【００８６】
シアター運営制御部４０１は、各上映サーバユニット４０２ａ〜４０２ｄへパケットデータを送出するのみであるので、サーバコマンダ４２１ａ〜４２１ｄ又はシネマサーバ４２０ａ〜４２０ｄの稼働状況に応じて適宜シアターマネージメント情報やコンテンツ・データを伝送することができるので、シネマ上映に影響を与えることが無く、任意の時間にデータ伝送が可能となる。
【００８７】
シアターマネージメント情報を伝送するＬＡＮケーブルと、コンテンツ・データを伝送するＬＡＮ通信ケーブルは物理的に別のケーブルであり、ハブ（ＨＵＢ）４を介してアップロードマネージャ４１０とＬＡＮケーブルで接続され、データ伝送を行う場合は、ハブ（ＨＵＢ）４のスイッチング機能によりアップロードマネージャ４１０と所定のサーバコマンダ４２１又は所定のシネマサーバ４２０が接続されるので、データの衝突が無く、他の機器へデータが流出することもないので安全にデータ伝送を行うことができる。
【００８８】
一方、各上映サーバユニット４０２ａ〜４０２ｄは、それぞれ、シネマサーバ４２０ａ〜４２０ｄと、サーバコマンダ４２１ａ〜４２１ｄとを有しており、各上映サーバユニットは、４つシアター、即ち４つのデジタルシネマ上映部を制御・管理する。
【００８９】
各シネマサーバ４２０は、サーバコマンダ４２１とは、シリアル通信ケーブルで接続され、シネマサーバ４２０ａは、デジタルシネマ上映部４０ａ〜４０ｄ（Ｎｏ．１シアター〜Ｎｏ．４シアタ）、シネマサーバ４２０ｂは、デジタルシネマ上映部４０ｅ〜４０ｈ（Ｎｏ．５シアター〜Ｎｏ．８シアター）、シネマサーバ４２０ｃは、デジタルシネマ上映部４０ｉ〜４０ｌ（Ｎｏ．９シアター〜Ｎｏ．１２シアター）、シネマサーバ４２０ａは、デジタルシネマ上映部４０ｍ〜４０ｐ（Ｎｏ．１３シアター〜Ｎｏ．１６シアター）というように、各シネマサーバ１つで４つのデジタルシネマ上映部の制御を行う。
【００９０】
サーバコマンダ４２１ａ〜４２１ｄは、各シネマサーバ４２０と１対１でシリアル通信ケーブルで接続されると共に、システムコマンダ４８０ａ〜４８０ｄとそれぞれ１対１でシリアル通信ケーブルで接続される。
【００９１】
上述したように、シアター運営制御部４０１は、アップロードマネージャ４１０は１つで、ＨＵＢ４を各上映サーバユニット４０２ａ〜４０２ｄを接続し、それぞれの上映サーバユニットで複数のスクリーン（デジタルシネマ上映部４０）を接続して管理・運用できる。また、シアター（デジタルシネマ上映部４０）の増減が容易になる。
【００９２】
また、シアター運営制御部４０１は、各上映サーバユニット４０２ａ〜４０２ｄへパケットデータを送出するのみであり、サーバコマンダ４２１ａ〜４２１ｄがシネマサーバ４２０ａ〜４２０ｄの稼働状況に応じて適宜シアターマネージメント情報やコンテンツ・データを伝送することができるので、シネマ上映に影響を与えることが無く、任意の時間にデータ伝送が可能となる。
【００９３】
【発明の効果】
上述したコンテンツ運用管理システムにより、コンテンツ・データ及びコンテンツ制御データ（シアターマネージメント情報）をパケット形式のデータとして伝送し、機器制御コマンド及び機器動作コマンドを非パケット形式のシリアルデータ伝送或いはパラレルデータ伝送で伝送することで、それぞれのデータを要求される条件に適したデータ形式で混交することなくデータ伝送を行うことができるので、コンテンツ・データの管理・運用が容易なコンテンツ運用管理システムを実現することができる。
【図面の簡単な説明】
【図１】  本発明に係るコンテンツ運用管理システムを用いたデジタルシネマシステムの概略構成を示した構成図である。
【図２】  本発明に係るコンテンツ運用管理システムの構成を示した構成図である。
【図３】  図２のコンテンツ運用管理システム内で伝送される情報の一覧を示す説明図である。
【図４】  図２のコンテンツ運用管理システムによるマルチプレクスシアターの概略構成を略示的に示した構成図である。
【符号の説明】
１０；フィルム配給部、１００；フィルム（オリジナル）、１１０；フィルム（リリースプリント）
２０；テレシネ変換部、２１０；テレシネ機、２２０；オーディオエンコーダ、２３０；デジタルＶＴＲ、２４０；マスタ（マザー）メディア
３０；メディア制作部、３１０；ビデオサーバ、３２０；メディアデッキ、３５０；メディア（記録媒体）、３５１；メモリ
４０；デジタルシネマ上映部、４１０；アップロードマネージャ、４２０；シネマサーバ、４３０；プロジェクタ、４３２；ＳＩＤ信号変換器、４４０；スクリーン、４５０；オーディオデコーダ、４６０；ＤＡコンバータ、４７０；シアターオーディオシステム
４０１；シアター運用制御部、４１０；アップロードマネージャ、４１１；メディアデッキ、４１２；ハードディスク、４１３；シアター運営プログラム、４１４；マウス、４１５；キーボード、４１６；ディスプレイ（ＬＣＤ）、４；ハブ（ＨＵＢ）
４０２；上映サーバユニット、４２０；シネマサーバ、４２０ａ；ハードディスク、４２１；サーバコマンダ、４２２；モニタ
４０３；映像信号処理部、４３０；プロジェクタ、４３１；アナモフィックレンズ、４３２；映像データ（ＳＤＩ）変換器、４３３；画郭切換器
４０４；スクリーンシステム部、４４０；スクリーン
４０５；オーディオ信号処理部、４５０；オーディオデコーダ、４６０；ＤＡコンバータ、４６１；音量調整器
４０６；オーディオ関連機器部、４６２；ＣＤプレーヤ、４６３；カセットデッキ、４６４；ミキサ
４０７；シアターオーディオ部、４７０；シアターオーディオシステム、４７１；イコライザ、４７２；アンプ、４７３；スピーカ
４０８；システム制御部、４８０；システムコマンダ、４８０ａ；インターフェースユニット、
４０９；施設設備部、４９１；非常システム、４９２；調光器、４９３；上映設備（従来）
【図１】
0004016251.tif 000002
【図２】
0004016251.tif 000003
【図３】
0004016251.tif 000004
【図４】
0004016251.tif 000005